【手続補正書】
【提出日】平成16年8月31日(2004.8.31)
【手続補正１】
【補正対象書類名】明細書
【補正対象項目名】発明の名称
【補正方法】変更
【補正の内容】
【発明の名称】バス制御装置
【手続補正２】
【補正対象書類名】明細書
【補正対象項目名】特許請求の範囲
【補正方法】変更
【補正の内容】
【特許請求の範囲】
【請求項１】
データを読み書きする第１のアクセス装置とデータの読みだしのみ行う第２のアクセス装置とがバスを介して同一の記憶装置を共用しているバスの制御装置であって、前記バス制御装置は、
前記第１のアクセス装置、前記第２のアクセス装置と前記記憶装置との間に設けた選択器と、
前記第１のアクセス装置のアクセスサイクル数を格納する第１のレジスタと、
前記第２のアクセス装置のアクセスサイクル数を格納する第２のレジスタと、
前記第２のアクセス装置が記憶装置へアクセスするのを禁止するデータアクノリッジ信号生成器とを有し、
前記第１のアクセス装置が記憶装置をアクセスしたのち前記第２のレジスタの値を経過したときは、前記データアクノリッジ信号生成器は前記第２のアクセス装置が記憶装置へアクセスするのを禁止する信号を出力し、前記選択器は前記第１のアクセス装置と記憶装置を接続し、
その後前記第１のレジスタの値が経過した後、前記選択器は前記第２のアクセス装置と前記記憶装置とを接続することを特徴とするバス制御装置。
【請求項２】
データを読み書きする第１のアクセス装置とデータの読みだしのみ行う第２のアクセス装置とがバスを介して同一の記憶装置を共用しているバスの制御装置であって、前記バス制御装置は、
前記第１のアクセス装置、前記第２のアクセス装置と前記記憶装置との間に設けた選択器と、
前記第１のアクセス装置のアクセスサイクル数を格納する第１のレジスタと、
前記第２のアクセス装置のアクセスサイクル数を格納する第２のレジスタと、
前記第２のアクセス装置が記憶装置へアクセスするのを禁止するデータアクノリッジ信号生成器とを有し、
一定周期ごとに、前記第２のレジスタの値を経過したときは、前記データアクノリッジ信号生成器は前記第２のアクセス装置が記憶装置へアクセスするのを禁止する信号を出力し、前記選択器は前記第１のアクセス装置と記憶装置を接続し、
その後前記第１のレジスタの値が経過した後、前記選択器は前記第２のアクセス装置と前記記憶装置とを接続することを特徴とするバス制御装置。
【請求項３】
第１のアクセス装置はＣＰＵであり、第２のアクセス装置は文字表示用装置であることを特徴とする請求項１、２いずれか記載のバス制御装置。
【請求項４】
データを読み書きする第１のアクセス装置と、データの読みだしのみ行う第２のアクセス装置と、前記第１のアクセス装置がデータを読み書きするのに用い、第２のアクセス装置がデータを読みだしするのに用いる第１、第２の制御信号およびアドレス信号を定められた周期毎に同一の記憶装置に接続することが可能な選択器とを備え、前記選択器は前記第１、第２の制御信号と前記第１、第２のアドレス信号とを独立に制御することを特徴とするバス制御装置。
【請求項５】
第１のアクセス装置はＣＰＵであり、第２のアクセス装置は文字表示用装置であることを特徴とする請求項４記載のバス制御装置。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
【課題を解決するための手段】
この課題を解決するため本発明のバス制御装置は、データを読み書きする第１のアクセス装置とデータの読みだしのみ行う第２のアクセス装置とがバスを介して同一の記憶装置を共用しているバスの制御装置であって、前記バス制御装置は、
前記第１のアクセス装置、前記第２のアクセス装置と前記記憶装置との間に設けた選択器と、
前記第１のアクセス装置のアクセスサイクル数を格納する第１のレジスタと、
前記第２のアクセス装置のアクセスサイクル数を格納する第２のレジスタと、
前記第２のアクセス装置が記憶装置へアクセスするのを禁止するデータアクノリッジ信号生成器とを有し、
前記第１のアクセス装置が記憶装置をアクセスしたのち前記第２のレジスタの値を経過したときは、前記データアクノリッジ信号生成器は前記第２のアクセス装置が記憶装置へアクセスするのを禁止する信号を出力し、前記選択器は前記第１のアクセス装置と記憶装置を接続し、
その後前記第１のレジスタの値が経過した後、前記選択器は前記第２のアクセス装置と前記記憶装置とを接続する。
【手続補正８】
【補正対象書類名】明細書
【補正対象項目名】００１２
【補正方法】変更
【補正の内容】
【００１２】
また、この課題を解決するために本発明のバス制御装置は、データを読み書きする第１のアクセス装置と、データの読みだしのみ行う第２のアクセス装置と、前記第１のアクセス装置がデータを読み書きするのに用い、第２のアクセス装置がデータを読みだしするのに用いる第１、第２の制御信号およびアドレス信号を定められた周期毎に同一の記憶装置に接続することが可能な選択器とを備え、前記選択器は前記第１、第２の制御信号と前記第１、第２のアドレス信号とを独立に制御する。
【手続補正９】
【補正対象書類名】明細書
【補正対象項目名】００３３
【補正方法】変更
【補正の内容】
【００３３】
以上のように本発明の実施の形態２によれば、毎サイクルCPU１１とOSD２２とのアクセスが可能であり、CPU１１が複数サイクルに渡る例外処理を行っている最中にOSD２２はROM１４へアクセスできる。本発明の実施の形態１における効果に加えて、CPU１１のアクセスが行われなくてもOSD２２がアクセスを行うことができ、より一層応答性の良いバス制御装置を得ることができる。
【手続補正１０】
【補正対象書類名】明細書
【補正対象項目名】００４３
【補正方法】削除
【補正の内容】
【手続補正１１】
【補正対象書類名】明細書
【補正対象項目名】００４４
【補正方法】削除
【補正の内容】
【手続補正１２】
【補正対象書類名】明細書
【補正対象項目名】００４５
【補正方法】削除
【補正の内容】
【手続補正１３】
【補正対象書類名】明細書
【補正対象項目名】００４６
【補正方法】削除
【補正の内容】
【手続補正１４】
【補正対象書類名】明細書
【補正対象項目名】００４７
【補正方法】削除
【補正の内容】
【手続補正１５】
【補正対象書類名】明細書
【補正対象項目名】００４８
【補正方法】削除
【補正の内容】
【手続補正１６】
【補正対象書類名】明細書
【補正対象項目名】００４９
【補正方法】削除
【補正の内容】
【手続補正１７】
【補正対象書類名】明細書
【補正対象項目名】００５０
【補正方法】削除
【補正の内容】
【手続補正１８】
【補正対象書類名】明細書
【補正対象項目名】００５１
【補正方法】変更
【補正の内容】
【００５１】
【発明の効果】
以上のように、本発明のバス制御装置は、データを読み書きする第１のアクセス装置とデータの読みだしのみ行う第２のアクセス装置とがバスを介して同一の記憶装置を共用しているバスの制御装置であって、前記バス制御装置は、
前記第１のアクセス装置、前記第２のアクセス装置と前記記憶装置との間に設けた選択器と、
前記第１のアクセス装置のアクセスサイクル数を格納する第１のレジスタと、
前記第２のアクセス装置のアクセスサイクル数を格納する第２のレジスタと、
前記第２のアクセス装置が記憶装置へアクセスするのを禁止するデータアクノリッジ信号生成器とを有し、
前記第１のアクセス装置が記憶装置をアクセスしたのち前記第２のレジスタの値を経過したときは、前記データアクノリッジ信号生成器は前記第２のアクセス装置が記憶装置へアクセスするのを禁止する信号を出力し、前記選択器は前記第１のアクセス装置と記憶装置を接続し、
その後前記第１のレジスタの値が経過した後、前記選択器は前記第２のアクセス装置と前記記憶装置とを接続する。
【手続補正１９】
【補正対象書類名】明細書
【補正対象項目名】００５３
【補正方法】削除
【補正の内容】
【手続補正２０】
【補正対象書類名】明細書
【補正対象項目名】００５４
【補正方法】削除
【補正の内容】
【手続補正２１】
【補正対象書類名】明細書
【補正対象項目名】００５５
【補正方法】変更
【補正の内容】
【００５５】
また、請求項４記載の発明に係わるバス制御装置は、データを読み書きする第１のアクセス装置と、データの読みだしのみ行う第２のアクセス装置と、前記第１のアクセス装置がデータを読み書きするのに用い、第２のアクセス装置がデータを読みだしするのに用いる第１、第２の制御信号およびアドレス信号を定められた周期毎に同一の記憶装置に接続することが可能な選択器とを備え、前記選択器は前記第１、第２の制御信号と前記第１、第２のアドレス信号とを独立に制御するものである。